(57)【要約】  【課題】  ロータリ式現像装置においてトナー受入部の小型化を図る。  【解決手段】  回転体３と、該回転体３に取り付けられたイエロー、マゼンタ、シアン及びブラックの各色の現像器４，５，６，７と、該現像器４，５，６，７の外部に設けられ前記現像器に供給するトナーを蓄えるトナー容器４９，５０，５１，５２と、前記回転体３の一端からこの回転体３と同軸上に軸方向に突出して設けられたトナー受入部９と、該トナー受入部９の内部に設けられ各色のトナーがそれぞれ対応する前記現像器４，５，６，７に移動するトナー移動路１７，１８，１９，２０と、前記現像器４，５，６，７の一端に設けられ前記トナー移動路１７，１８，１９，２０の下流端に接続されたトナー補給口１７ｅ，１８ｅ，１９ｅ，２０ｅと、トナー移動路１７，１８，１９，２０の上流端に接続されたトナー受入口３７，３８，３９，４０とを備えた画像形成装置において、前記各色のトナー移動路１７，１８，１９，２０は、トナー受入部９の内部において同一回転面内に配置されている。【選択図】      図３
2006098889.tif 000002
【特許請求の範囲】
【請求項１】
回転体と、該回転体に取り付けられた複数の現像器と、該現像器の外部に設けられ前記現像器に供給するトナーを蓄えるトナー容器と、前記回転体の一端からこの回転体と同軸上に軸方向に突出して設けられたトナー受入部と、該トナー受入部の内部に設けられトナーがそれぞれ対応する前記現像器に移動するトナー移動路と、前記現像器の一端に設けられ前記トナー移動路の下流端に接続されたトナー補給口と、トナー移動路の上流端に接続されたトナー受入口とを備えた画像形成装置において、
前記トナー移動路は、トナー受入部の内部において同一回転面内に配置されていることを特徴とする画像形成装置。
【請求項２】
前記トナー補給口は、トナー色に関わらず、その回転中心から同じ距離の位置に配置されることを特徴とする請求項１に記載の画像形成装置。
【請求項３】
前記トナー受入口は、トナー色ごとにその回転中心から異なる距離の位置に配置されることを特徴とする請求項２に記載の画像形成装置。
【請求項４】
現像器へのトナーの補給動作は、現像が行われている色の現像器に対してのみ行われることを特徴とする請求項１〜３のいずれかに記載の画像形成装置。
【請求項５】
各トナー受入口に常閉シャッタを設け、現像が行われている色のトナー受入口のシャッタのみを開く開閉機構を備えたことを特徴とする請求項１〜４のいずれかに記載の画像形成装置。
【請求項６】
各トナー補給口にトナーの逆流を防止する逆止弁を設けたことを特徴とする請求項１〜５のいずれかに記載の画像形成装置。
【発明の詳細な説明】
【技術分野】
【０００１】
本発明は、静電複写機やプリンタ等の画像形成装置の技術分野に属し、特に、現像装置の外部に大容量のトナー補給装置を備えるとともに、現像装置の位置にかかわらずトナーを補給するようにした画像形成装置の技術分野に属する。
【背景技術】
【０００２】
従来、静電複写機やプリンタ等の画像形成装置においては、感光体等の潜像担持体に担持された静電潜像を現像装置によりトナー像に現像した後、このトナー像を紙等の記録媒体に転写し、更に記録媒体に転写したトナー像を定着することにより、画像を得るようになっている。
【０００３】
現像を行うためには、現像装置にトナーを補給する必要がある。そこで、現像装置へトナーを補給するトナー補給装置が従来から種々提案されている。従来のトナー補給装置の１つとして、例えば、ロータリ外部に設けられたトナー容器からトナーを補給するロータリ式現像装置が、特許文献１において提案されている。
【０００４】
この従来のロータリ式現像装置１０１は、図８に示すように、回転可能に設けられたロータリ１０２と、このロータリ１０２に支持された、イエロー、マゼンタ、シアン及びブラックの各現像器（不図示）とを備えている。各現像器はロータリ１０２の周方向にこれらの順に時計回りでかつ等間隔で配設されている。ロータリ１０２の一端からこのロータリ１０１と同軸上に軸方向に突出する円筒型のトナー受入部１０３を備えており、このトナー受入部１０３はロータリ１０２と一体に回転されるようになっている。
【０００５】
図９に示すように、トナー受入部１０３の内部空間には、４つの扇形のトナー移動路１０４，１０５，１０６，１０７が区画形成されている。各トナー移動路１０４，１０５，１０６，１０７は、各現像器と連結されている。トナー受入部１０３の外周には、各トナー移動路１０４，１０５，１０６，１０７と外部とを連通してトナーをトナー受入部１０３の外周から各トナー移動路１０４，１０５，１０６，１０７内に導入する４つのトナー受入口（図９にはイエローのトナーに対応するトナー受入口１０８のみを図示）が穿設されている。各トナー受入口は、軸方向に間隔を有して隣接するとともに、円周方向に９０°ずつ位相がずれて設けられている。そして、各トナー受入口を包含してトナー受入部１０３の外周を覆うように、４つのトナー一時貯留部１０９，１１０，１１１，１１２が形成されている。各トナー一時貯留部１０９，１１０，１１１，１１２は、イエロー、マゼンタ、シアン、及びブラックの４つのトナー容器１１３，１１４，１１５，１１６のそれぞれと接続され、各トナー容器１１３，１１４，１１５，１１６から供給される各色のトナーが一時貯留されるようになっている。
【０００６】
この構成でロータリ１０２が回転すると、各トナー一時貯留部１０９，１１０，１１１，１１２に貯留されている各色のトナーが各トナー受入口から各トナー移動路１０４，１０５，１０６，１０７内に導入され、各トナー移動路１０４，１０５，１０６，１０７を経由して、現像器内に補給されるようになっている。従って、現像器の位置に関係なくトナーを補給できる。
【特許文献１】特開２００１−３１８５２０号公報
【発明の開示】
【発明が解決しようとする課題】
【０００７】
しかしながら、上記特許文献１において提案されているロータリ式現像装置では、トナー受入部１０３の外周に配置されるトナー一時貯留部１０９，１１０，１１１，１１２がロータリ１０２の軸方向にトナー色ごとに並んで配置されているため、トナー受入部の占有スペースが大きく、画像形成装置本体が大型化してしまうという問題があった。
【０００８】
本発明は、上記のようなロータリ式現像装置においてトナー受入部の小型化を図ることを目的とする。
【課題を解決するための手段】
【０００９】
上記目的を達成するために本発明は、回転体と、該回転体に取り付けられた複数の現像器と、該現像器の外部に設けられ前記現像器に供給するトナーを蓄えるトナー容器と、前記回転体の一端からこの回転体と同軸上に軸方向に突出して設けられたトナー受入部と、該トナー受入部の内部に設けられトナーがそれぞれ対応する前記現像器に移動するトナー移動路と、前記現像器の一端に設けられ前記トナー移動路の下流端に接続されたトナー補給口と、トナー移動路の上流端に接続されたトナー受入口とを備えた画像形成装置において、前記トナー移動路は、トナー受入部の内部において同一回転面内に配置されていることを特徴とする。
【００１０】
また、前記トナー補給口は、トナー色に関わらず、その回転中心から同じ距離の位置（同一半径の円周上）に配置されることを特徴とする。
【００１１】
また、前記トナー受入口は、トナー色ごとにその回転中心から異なる距離の位置に配置されることを特徴とする現像器へのトナーの補給動作は、現像が行われている色の現像器に対してのみ行われることを特徴とする。
【００１２】
また、各トナー受入口に常閉シャッタを設け、現像が行われている色のトナー受入口のシャッタのみを開く開閉機構を備えたことを特徴とする。
【００１３】
また、各トナー補給口にトナーの逆流を防止する逆止弁を設けたことを特徴とする。
【発明の効果】
【００１４】
本発明によると、トナー受入部内の各色のトナー移動路は、同一の回転面内に配置されているため、ロータリ軸方向へのトナー受入部の出っ張りを従来よりも抑制でき、その分、画像形成装置本体の小型化が図られる。
【発明を実施するための最良の形態】
【００１５】
以下、本発明を実施するための最良の形態について図面を参照して説明する。図１は、本発明に係るロータリ式現像装置の模式的な断面図である。ロータリ式現像装置２は、回転可能に設けられたロータリ３と、このロータリ３の回転軸３ａ上に支持された、シアン（Ｃ）、マゼンタ（Ｍ）、イエロー（Ｙ）、及びブラック（Ｋ）の各現像器４，５，６，７とを備えている。これらの各現像器４，５，６，７はロータリ３の周方向にこれらの順に時計回りでかつ等間隔で配設されており、それぞれ現像ローラ４ａ，５ａ，６ａ，７ａと、供給ローラ４ｂ，５ｂ，６ｂ，７ｂと、現像ローラ４ａ，５ａ，６ａ，７ａのトナー層厚を規制する規制部材４ｃ，５ｃ，６ｃ，７ｃと、攪拌翼４ｄ，５ｄ，６ｄ，７ｄとを備えている。そして、ロータリ３が矢印αで示す時計方向に回転することで、これらの各現像器４，５，６，７は、それらの現像ローラ４ａ，５ａ，６ａ，７ａが順次感光体８に当接される現像位置に設定されるようになっている。
【００１６】
各現像器４，５，６，７の軸方向の一端面には、後述するトナー移動路１７，１８，１９，２０から送られてくるシアン、マゼンタ、イエロー及びブラックのトナーを現像器４，５，６，７内に補給するためのトナー補給口４ｅ，５ｅ，６ｅ，７ｅが設けられている。トナー補給口４ｅ，５ｅ，６ｅ，７ｅは、トナー色に関わらず、その回転中心から同じ距離の位置（同一半径の円周上）に配置されている。各トナー補給口４ｅ，５ｅ，６ｅ，７ｅには、トナーの逆流を防止する逆止弁（図３にはブラックのトナー容器７の逆止弁６１のみを図示）が設けられている。
【００１７】
図２及び図３に示すように、ロータリ式現像装置２はロータリ３の一端からこのロータリ３と同軸上に軸方向に突出するトナー受入部９を備えている。このトナー受入部９は、ロータリ３と同軸上に軸方向に延び、ロータリ３と一体に回転する回転円盤部１０と、この回転円盤部１０と所定の距離を隔てて画像形成装置の本体側に固定された不動の固定円盤部１１とから成っている。
【００１８】
図４に示すように、回転円盤部１０の内部は空洞になっており、その空洞は十字型の仕切壁１２によって４つの扇形空間１３，１４，１５，１６が区画形成されている。各扇形空間１３，１４，１５，１６の内部には、角管から成るトナー移動路１７，１８，１９，２０がそれぞれ設けられている。各トナー移動路１７，１８，１９，２０はこの順で長くなるように管長が異なっており、シアン、マゼンタ、イエロー及びブラックのトナーがそれぞれ導入されるようになっている。
【００１９】
各トナー移動路１７，１８，１９，２０は、各扇形空間１３，１４，１５，１６においてその側壁の一つが仕切壁１２に密接し、かつ、そのエッジ部の一つが回転円盤部１０の周壁内面に当接する位置に設けられている。従って、各トナー移動路１７，１８，１９，２０は、その管長方向が回転円盤部１０の軸方向と直交し、かつ、シアン、マゼンタ、イエロー及びブラックのトナーの順に時計方向に９０°ずつ位相がずれた配置で設けられている。すなわち、各トナー移動路１７，１８，１９，２０は、回転円盤部１０内において同一の回転面内に配置されているため、ロータリ軸方向へのトナー受入部９の出っ張りを抑制でき、その分、画像形成装置本体の小型化が図られることになる。
【００２０】
各トナー移動路１７，１８，１９，２０には、ロータリ軸方向で対向し、かつ回転円盤部１０の円盤内面と接触する一対の側壁の一方に円形のトナー入口１７ａ，１８ａ，１９ａ，２０ａがそれぞれ穿設され、他方に円形のトナー出口１７ｂ，１８ｂ，１９ｂ，２０ｂがそれぞれ穿設されている。各トナー入口１７ａ，１８ａ，１９ａ，２０ａは、回転円盤部１０の回転中心に近い方の各トナー移動路１７，１８，１９，２０の端部に設けられており、各トナー出口１７ｂ，１８ｂ，１９ｂ，２０ｂは、回転円盤部１０の回転中心から遠い方の各トナー移動路１７，１８，１９，２０の端部に設けられている。各トナー移動路１７，１８，１９，２０内には、駆動手段２５，２６，２７，２８によって回転駆動される搬送スクリュー２１，２２，２３，２４がそれぞれ設けられており、各搬送スクリュー２１，２２，２３，２４を個別に駆動することで、各トナー移動路１７，１８，１９，２０内の各色のトナーが放射方向へ搬送されるようになっている。
【００２１】
図５に示すように、回転円盤部１０のロータリ軸方向の一端面１０ａには、外側から順に同心円状に半径の異なる４つのシール部材２９，３０，３１，３２が取り付けられている。シール部材２９，３０，３１，３２は、一定の厚みと高さを有する円形の弾性部材であり、その先端面と固定円盤部１１の内側円盤面（回転円盤部１０の一端面１０ａと相対する面）とが摺接することにより、各シール部材２９，３０，３１，３２の内側に密閉された空間３３，３４，３５，３６がそれぞれ区画されている。２つのシール部材２９，３０間の区画領域には、トナー移動路１７と外部とを連通してシアンのトナーを回転円盤部１０の一端面１０ａからトナー移動路１７内に導入するトナー受入口３７が穿設され、更に２つのシール部材３０，３１間の区画領域には、トナー移動路１８と外部とを連通してマゼンタのトナーを回転円盤部１０の一端面１０ａからトナー移動路１８内に導入するトナー受入口３８が穿設され、更に２つのシール部材３１，３２間の区画領域には、トナー移動路１９と外部とを連通してイエローのトナーを回転円盤部１０の一端面１０ａからトナー移動路１９内に導入するトナー受入口３９が穿設され、更にシール部材３２の内側領域には、トナー移動路２０と外部とを連通してブラックのトナーを回転円盤部１０の一端面１０ａからトナー移動路２０内に導入するトナー受入口４０が穿設されている。すなわち、トナー受入口３７，３８，３９，４０は、各トナー移動路のトナー出口１７ｂ，１８ｂ，１９ｂ，２０ｂに対応した位置にトナー色ごとにその回転中心から異なる距離の位置に配置され、各トナー受入口３７，３８，３９，４０は、シアン、マゼンタ、イエロー及びブラックのトナーの順に時計方向に９０°ずつ位相がずれて設けられている。換言すれば、これらのトナー受入口３７，３８，３９，４０は、回転円盤部１０の一端面１０ａにおいて各トナー移動路のトナー入口１７ａ，１８ａ，１９ａ，２０ａに対応した位置に設けられている。同様に、回転円盤部１０の他端面１０ｂ（図３参照）には、各トナー移動路のトナー出口１７ｂ，１８ｂ，１９ｂ，２０ｂに対応した位置にトナー排出口（不図示）が設けられている。
【００２２】
図６に示すように、固定円盤部１１には、２つのシール部材２９，３０間の区画領域には、空間３３と外部とを連通してシアンのトナーを固定円盤部１１の一端面１１ａから空間３３内に導入するトナー導入口４１が穿設され、更に２つのシール部材３０，３１間の区画領域には、空間３４と外部とを連通してマゼンタのトナーを固定円盤部１１の一端面１１ａから空間３４内に導入するトナー導入口４２が穿設され、更に２つのシール部材３１，３２間の区画領域には、空間３５と外部とを連通してイエローのトナーを固定円盤部１１の一端面１１ａから空間３５内に導入するトナー導入口４３が穿設され、更にシール部材３２の内側領域には、空間３６と外部とを連通してブラックのトナーを固定円盤部１１の一端面１１ａから空間３６内に導入するトナー導入口４４が穿設されている。各トナー導入口４１，４２，４３，４４は、シアン、マゼンタ、イエロー及びブラックのトナーともに位相のずれがなく一列に設けられている。各トナー導入口４１，４２，４３，４４には、トナー輸送管４５，４６，４７，４８の下流端がそれぞれ連結されている。各トナー輸送管４５，４６，４７，４８の上流端は、シアン、マゼンタ、イエロー及びブラックのトナーを収容するトナー容器４９，５０，５１，５２に連結されている。トナー輸送管４５，４６，４７，４８内には、駆動手段（不図示）によって回転駆動される搬送スクリュー（不図示）が配設されている。また、トナー容器４９，５０，５１，５２内にも駆動手段（不図示）によって回転駆動される送り出しスクリュー（不図示）が配設されている。
【００２３】
各トナー導入口４１，４２，４３，４４は、バネ等の付勢手段によって付勢されたシャッタ５３，５４，５５，５６によってそれぞれ常閉されている。図７は、ブラックのトナーのトナー導入口４４に設けられたシャッタ５６の開閉機構を示す断面図である。固定円盤部１１の内側円盤面（回転円盤部１０の一端面１０ａと相対する面）には、円盤形のシャッタ５６の上下に位置してシャッタ５６が該面上で円弧軌跡（図６参照）を描くように案内するとともに、シャッタ５６がトナー導入口４４を全閉又は全開する位置（円弧軌跡の両端位置）でシャッタ５６の回動を規制する円弧状のガイドレール５７が一対設けられている。シャッタ５６はバネ５８により全閉方向に付勢されている（図７（ａ）参照）。シャッタ５６の裏面には斜面を有した突起５６ａが設けられている。回転円盤部１０には、トナー受入口４０に対して回転円盤部１０の回転方向側の所定位置に開口６０が穿設されており、該開口６０内に弾性フック５９が弾性支持されている。弾性フック５９の先端には傾斜面を有する突起５９ａが設けられ、該突起５９ａは出没自在に開口６０から固定円盤部１１側へ突出している。ブラックの現像が行われるとき、回転円盤部１０はトナー受入口４０が固定円盤部１１のトナー導入口４４に一致するように回転する。このとき弾性フック５９は、回転円盤部１０の回転とともに円周方向に移動する。トナー受入口４０がトナー導入口４４から所定の距離まで近づいたとき、弾性フック５９の突起５９ａとシャッタ５６の突起５６ａの傾斜面同士がある程度の摩擦を有して接触し、さらに弾性フック５９が円周方向に移動することにより、シャッタ５６がバネ５８による付勢に抗してガイドレール５７上で移動し、シャッタ５６を全開位置で保持することができる（図７（ｂ）参照）。同様のシャッタの開閉機構は、シアン、マゼンタ及びイエローのトナーのトナー導入口及びトナー受入口にも設けられている。
【００２４】
ブラックの現像工程が終わると、イエローの現像を行うため回転円盤部１０は再び回転を開始する。このとき、シャッタ５６はガイドレール５７によって移動が規制されているので、弾性フック５９は円周方向の移動がロックされた形となるが、弾性フック５９が図７（ｂ）の矢印のようにしなることで、弾性フック５９の突起５９ａがシャッタ５６の突起５６ａを乗り越えて移動することができる。
【００２５】
次に、このように構成された画像形成装置における現像装置へのトナー補給の作用について説明する。画像形成装置の本体よりトナー補給信号を受信した際、駆動手段（不図示）を動作させ、送り出しスクリュー（不図示）及び搬送スクリュー（不図示）を回転駆動することで、各トナー容器４９，５０，５１，５２内の各色のトナーは、各トナー輸送管４５，４６，４７，４８を経由して固定円盤部１１の各トナー導入口４１，４２，４３，４４に向けて搬送される。
【００２６】
このときロータリ３が回転駆動され、現像するトナー色に対応した現像器が現像する位置に配置される。そして、現像するトナー色に対応する回転円盤部１０のトナー受入口が固定円盤部１１のトナー導入口に一致する。図１は、ブラックのトナーの現像器７が現像位置に配置された例を示し、このとき図６に示すように、ブラックのトナーのトナー導入口４４とトナー受入口４０とが一致し、シャッタ５６のみが開いてブラックのトナーのトナー受入口４０のみが対応するトナー輸送管４８と接続される。そして、ロータリ３が９０°回転して、イエローの現像器６が現像位置に配置されると、イエローのトナーのトナー導入口４３とトナー受入口３９とが一致し、シャッタ５５のみが開いてイエローのトナーのトナー受入口３９のみが対応するトナー輸送管４７と接続される。さらに、ロータリ３が９０°回転して、マゼンタの現像器５が現像位置に配置されると、マゼンタのトナーのトナー導入口４２とトナー受入口３８とが一致し、シャッタ５４のみが開いてマゼンタのトナーのトナー受入口３８のみが対応するトナー輸送管４６と接続される。さらに、ロータリ３が９０°回転して、シアンの現像器４が現像位置に配置されると、シアンのトナーのトナー導入口４１とトナー受入口３７とが一致し、シャッタ５３のみが開いてシアンのトナーのトナー受入口３７のみが対応するトナー輸送管４５と接続される。
【００２７】
ブラックのトナーの現像器７が現像位置に配置されたときは、上記のようにトナー導入口４４とトナー受入口４０とが一致し、この結果、ブラックのトナーをトナー移動路２０に導入することができるようになる。このとき、トナー導入口４４やトナー受入口から回転円盤部１０と固定円盤部１１との隙間にこぼれたトナーはシール部材３２によりシールされ空間３６内に留まるので、回転円盤部１０の一端面１０ａ上でブラックのトナーが他の色のトナーと混ざったり、トナーが落下して画像形成装置の本体内を汚したりすることを防止することができる。
【００２８】
そして、現像器７内の現像ローラ７ａ等が回転駆動され、ブラックの現像が開始される。この現像装置２の作動がトナー移動路２０内の搬送スクリュー２４と連動し、トナーの補給が開始する。すなわち、トナー移動路２０内の搬送スクリュー２４が駆動され、トナーはトナー移動路２０内をトナー入口２０ａからトナー出口２０ｂへ向けて上昇し、現像器７のトナー補給口７ｅへ搬送され、現像器７内へ補給される。このときトナー補給口７ｅに設けられた逆止弁６１によって、現像器７からトナー移動路２０へのトナーの逆流が防止される。
【００２９】
画像形成装置からのトナー補給信号の出力が停止した場合でも、搬送スクリュー２４の駆動は現像装置２の作動と連動しているため、現像中もトナー補給はしばらく継続されるが、このときトナー容器５２内の送り出しスクリュー（不図示）やトナー輸送管４８内の搬送スクリュー（不図示）の駆動は停止しているため、トナー移動路２０内のトナーがなくなり次第、現像器７内へのトナー補給が停止する構成となっている。
【産業上の利用可能性】
【００３０】
本発明は、静電複写機やプリンタ等の画像形成装置に利用することができる。
【図面の簡単な説明】
【００３１】
【図１】は、本発明に係るロータリ式現像装置の模式的な断面図である。
【図２】は、本発明に係るロータリ式現像装置とトナー容器の模式的な斜視図である。
【図３】は、本発明に係るロータリ式現像装置の軸方向の断面図である。
【図４】は、図３の矢視Ａ−Ａ断面図である。
【図５】は、図３の矢視Ｂ−Ｂ断面図である。
【図６】は、図３の矢視Ｃ−Ｃ断面図である。
【図７】は、ブラックのトナーのトナー導入口に設けられたシャッタの開閉機構を示すシャッタ全閉時（ａ）及び全開時（ｂ）の断面図である。
【図８】は、従来のロータリ式現像装置の一例の模式的な側面図である。
【図９】は、図８の矢視Ｘ−Ｘ断面図である。
【符号の説明】
【００３２】
２  ロータリ式現像装置
３  ロータリ
３ａ  回転軸
４，５，６，７  現像器
４ａ，５ａ，６ａ，７ａ  現像ローラ
４ｂ，５ｂ，６ｂ，７ｂ  供給ローラ
４ｄ，５ｄ，６ｄ，７ｄ  攪拌翼
４ｅ，５ｅ，６ｅ，７ｅ  トナー補給口
８  感光体
９  トナー受入部
１０  回転円盤部
１０ｂ  他端面
１１  固定円盤部
１２  仕切壁
１３，１４，１５，１６  扇形空間
１７，１８，１９，２０  トナー移動路
１７ｂ，１８ｂ，１９ｂ，２０ｂ  トナー出口
１７ａ，１８ａ，１９ａ，２０ａ  トナー入口
１７，１８，１９，２０  トナー移動路
２１，２２，２３，２４  搬送スクリュー
２５，２６，２７，２８  駆動手段
２９，３０，３１，３２  シール部材
３３，３４，３５，３６  空間
３７，３８，３９，４０  トナー受入口
４１，４２，４３，４４  トナー導入口
４５，４６，４７，４８  トナー輸送管
４９，５０，５１，５２  トナー容器
５３，５４，５５，５６  シャッタ
５６ａ  突起
５７  ガイドレール
５８  バネ
５９  弾性フック
５９ａ  突起
６０  開口
６１  逆止弁
【図１】
2006098889.tif 000003
【図２】
2006098889.tif 000004
【図３】
2006098889.tif 000005
【図４】
2006098889.tif 000006
【図５】
2006098889.tif 000007
【図６】
2006098889.tif 000008
【図７】
2006098889.tif 000009
【図８】
2006098889.tif 000010
【図９】
2006098889.tif 000011